(57)【要約】【課題】簡単かつ安価な構成でありながら、使用者が有毒刺症昆虫などの害虫に襲われ被害を受けることを効果的に防止することができると共に利便性の高い害虫防除装置を提供する。【解決手段】殺虫剤を噴射する噴射口を所定の開口操作後自動的に開口維持可能なエアゾール装置を保持可能であって使用者が装着するための装着手段を備え、前記装着手段を前記使用者が装着し害虫防除のために前記殺虫剤を噴射する場合において、前記殺虫剤が前記噴射口から上向きに噴射可能に前記エアゾール装置が前記装着手段に保持される。装着手段は、例えば、使用者が装着するヘルメットと、全量噴射型エアゾール装置を収容する収容部と、収容部をヘルメットに対して所定の方向に支持する支持部と、収容部をヘルメットに固定するためのクリップ部材と、を有する。【選択図】  図１
2010051269.tif 000002
【特許請求の範囲】
【請求項１】
殺虫剤を噴射する噴射口を所定の開口操作後自動的に開口維持可能なエアゾール装置を保持可能であって使用者が装着するための装着手段を備え、
前記装着手段を前記使用者が装着し害虫防除のために前記殺虫剤を噴射する場合において、前記殺虫剤が前記噴射口から上向きに噴射可能に前記エアゾール装置が前記装着手段に保持されることを特徴とする害虫防除装置。
【請求項２】
前記装着手段は、前記使用者が装着するヘルメットと、前記エアゾール装置を収容する収容部と、前記収容部を前記ヘルメットに対して所定の方向に支持する支持部と、前記収容部を前記ヘルメットに固定するためのクリップ部材と、を有することを特徴とする請求項１に記載の害虫防除装置。
【請求項３】
前記装着手段は、前記エアゾール装置を収容する収容部と、前記収容部が固定される保持部材と、前記収容部の長手方向に延在し両端部で前記保持部に固定されるバンド部材と、を有することを特徴とする請求項１に記載の害虫防除装置。
【発明の詳細な説明】
【技術分野】
【０００１】
本発明は、害虫防除装置に関し、少なくとも不快害虫（例えば有毒刺症昆虫（蜂など））に効力を有する殺虫剤を噴射し、有毒刺症昆虫等の不快害虫その他の害虫から身を守るための害虫防除装置に関する。
【背景技術】
【０００２】
人が野外で行動或いは作業をする場合、蜂（ハチ）の巣の存在を知らずに蜂を刺激して不意打ち攻撃を受けることがあり、特にスズメバチなどに刺された場合などにおいては、最悪の場合、死に至る惧れもある。
【０００３】
このような不快害虫、特に有毒刺症昆虫（蜂など）から身を守るために、例えば、特許文献１などに記載されているような種々の蜂防護服が提案されている。
【０００４】
しかしながら、蜂防護服は、有毒刺症昆虫（蜂など）から身を守るためには効果的であるが、例えば作業者は蜂の巣が実際に近くに存在しているか否かに拘わらず常に着用しておく必要があり、また蜂防護服は動き難く内部は熱いなど作業能率を大幅に低下させるものであり、比較的激しい動きを伴う作業などに対して実用的であるとは言えなかった。また、蜂防護服は比較的高価であり、コストがかかるといった問題もある。
【０００５】
【特許文献１】特開平１０−５３９０７号公報
【発明の開示】
【発明が解決しようとする課題】
【０００６】
このようなことから、比較的激しい動きを伴う作業などに対して作業能率を低下させることなく、不快害虫（例えば有毒刺症昆虫（蜂など））の不意打ちの攻撃等から効果的に身を守る方法が求められる。
このため、本発明者等は、不快害虫（例えば有毒刺症昆虫（特にスズメバチ））の攻撃特性や人間の対処法などについて十分に把握し、これに基づき種々の研究、実験を繰り返すことで、予防策について効果的な知見を得るに至った。
【０００７】
ここで、有毒刺症昆虫（特にスズメバチ）の攻撃性及び対処法などについて説明する。
多種類を数える蜂のなかで、人を刺す蜂は、社会性ハチと称されているアシナガバチ、ミツバチ、マルハナバチおよびスズメバチ等の４種に限られている。
そのなかで、特にスズメバチは、巣の防衛本能が非常に発達しており、人間も含む外敵（他の巣のスズメバチも同様）の接近を察知したら、威嚇音、毒液散布、そして毒針の発射等で攻撃してくる習性がある。
【０００８】
「攻撃レベルｉ」
人間の行動：巣から１０ｍ以上離隔した場所にて、大きな音（車のエンジン音、大声、土木作業他）を発生させた場合。
蜂の行動：巣の表面や出入口にいる蜂が、人間の周囲を飛び回るようになる。
人間の対処：目を閉じて顔を下向き加減にし、蜂と反対方向へ静かに後ずさりで遠ざかることが好ましい。
【０００９】
「攻撃レベルｉｉ」
人間の行動：なおその場に留まり、大きな音を発生し続けた場合。
蜂の行動：人間の周囲をまとわりつくように、高い翅音、さらには大顎を噛み合わせたカチカチという威嚇音等で威嚇するようになる。その際、人間が急に走り去る場合には、勢いよく飛びかかって刺すこともあり得る。
人間の対処：目を閉じて顔を下向き加減にし、蜂と反対方向へ静かに後ずさりで遠ざかることが好ましい。
【００１０】
「攻撃レベルｉｉｉ」
人間の行動：更に人間が無視し続け、大きな音を発生し続けた場合。
例えば、何かの作業に集中していた場合など、無意識で巣に接している箇所（土中、木の枝、民家の軒下他）に振動や大きな音を発生し続けた場合などが想定される。
蜂の行動：威嚇中の蜂が毒液を散布（巣内の蜂に警報フェロモンを発令）し、多数の蜂が攻撃（勢いよく飛びかかって刺すこと）してくるようになる。
スズメバチは、一定以上の速度に反応する視覚であるため、動きが遅い場合、静止している場合、静かに前後に動く場合等には反応が鈍い傾向がある。
これに対し、手を振ったり、体を左右にひねるなどの左右方向への早い動き等には敏感に反応する傾向がある。
また、蜂（スズメバチ、アシナガバチ）は、顔、頭部、手、腕等の露出部分を真っ先に狙い、特に頭髪や目などの黒い部分を標的にすることも知られている。
なお、スズメバチは、頭や胸が取れて腹だけになっても１日くらい、反射的に刺す場合がある。
人間の対処：一刻も早く、目を閉じて顔を下向き加減にし、走って逃げる必要がある。その距離は、最低でも１０ｍ以上が必要とされる。
【００１１】
「攻撃レベルｉｖ」
人間の行動：意識して巣に刺激を与える場合、巣の出入口（特に土中）を無意識で走り去った場合など。
蜂の行動：興奮状態になった多数の蜂が、人間に噛みついて離れずに何回も刺すようになる（但し、ミツバチは一刺しで息絶える）。
人間の対処：一刻も早く、目を閉じて顔を下向き加減にし、走って逃げる必要がある。その距離は、最低でも５０〜６０ｍ以上が必要とされる。
【００１２】
なお、有毒刺症昆虫の攻撃から身を守る方法として、例えば殺虫剤を噴射することなども考えられる。
しかし、従来の殺虫剤を噴射するスプレー缶（エアゾール装置）では、使用者はスプレー缶を自分の手で保持し、有毒刺症昆虫が飛んでくる方向に噴射口を向け殺虫剤を噴射して昆虫を撃退することになる。
従って、目を開けている必要があり、また少なくとも片方の手は塞がれてしまい、更に腕を伸ばして噴射する動き自体が攻撃の対象となり易いなど、上述した有毒刺症昆虫の攻撃性及び対処法などを理解した使用方法とは言えず、却って有毒刺症昆虫に刺される惧れの高い目、頭、首筋、手、腕等が攻撃され易くなってしまうといった実情がある。
【００１３】
本発明は、かかる従来の実情に鑑みなされたもので、簡単かつ安価な構成でありながら、使用者が有毒刺症昆虫等の不快害虫その他の害虫に襲われ被害を受けることを効果的に防止することができると共に利便性の高い害虫防除装置を提供することを目的とする。
【課題を解決するための手段】
【００１４】
上記課題を解決するため、本発明に係る害虫防除装置は、殺虫剤を噴射する噴射口を所定の開口操作後自動的に開口維持可能なエアゾール装置を保持可能であって使用者が装着するための装着手段を備え、
前記装着手段を前記使用者が装着し害虫防除のために前記殺虫剤を噴射する場合において、前記殺虫剤が前記噴射口から上向きに噴射可能に前記エアゾール装置が前記装着手段に保持されることを特徴とする。
【００１５】
また、本発明において、装着手段は、使用者が装着するヘルメットと、前記エアゾール装置を収容する収容部と、収容部をヘルメットに対して所定の方向に支持する支持部と、収容部をヘルメットに固定するためのクリップ部材と、を有することができる。
【００１６】
さらに、本発明において、装着手段は、前記エアゾール装置を収容する収容部と、収容部が固定される保持部材と、収容部の長手方向に延在し両端部で保持部に固定されるバンド部材と、を有することができる。
【発明の効果】
【００１７】
本発明によれば、簡単かつ安価な構成でありながら、使用者が有毒刺症昆虫等の不快害虫その他の害虫に襲われ被害を受けることを効果的に防止することができると共に利便性の高い害虫防除装置を提供することができる。
特に、本発明に係る害虫防除装置によれば、エアゾール装置の射出方向を使用者に対して所定の方向に固定できると共に使用者が害虫防除装置を手で保持する必要がなく、かつ所定の開口操作をした後には殺虫剤を自動的に噴射継続されるようにしたので、手などで頭や目などを隠しながら退避行動をとるなどの身を守る動作を行いながら効果的に有毒刺症昆虫等の不快害虫その他の害虫から防除することができる。
【発明を実施するための最良の形態】
【００１８】
（実施形態１）
以下、本発明の害虫防除装置に係る実施形態１について、図面を参照しつつ説明する。なお、以下で説明する実施形態により、本発明が限定されるものではない。
図１は、実施形態１に害虫防除装置１の側面図、図２は、図１の害虫防除装置に装着された全量噴射型エアゾール装置１００の一部を示す正面図、図３は、図２の線ＩＩＩ―ＩＩＩに沿った断面図、図４は、図１の害虫防除装置１を使用者が装着した状態を示す図である。
【００１９】
害虫防除装置１は、噴射口１０７から殺虫剤を噴射する全量噴射型エアゾール装置１００を保持可能であって、作業者等の使用者が装着するための装着手段を備える。本実施形態における装着手段は、使用者が装着するヘルメット１２１と、全量噴射型エアゾール装置１００を収容する収容部１２３と、収容部１２３をヘルメット１２１に対して所定の方向に支持する支持部１２５と、収容部１２３をヘルメット１２１に固定するためのクリップ部材１２７と、を有する。
【００２０】
ヘルメット１２１は、市販されているものを使用することができ、ヘルメットの外殻は、例えばＡＢＳ（アクリルニトリル・ブタジェン・スチレン）ＦＲＰ（ファイバーグラス・レインフォースド・プラスティック）ＰＣ（ポリカーボネイト）などの材料を採用することができる。
【００２１】
外郭がほぼ半球形状のヘルメット１２１の後部には、全量噴射型エアゾール装置１００を収容できる有底円筒状の収容部１２３と、収容部１２３の外周面とヘルメット１２１の外面との間に介在する支持部１２５と、支持部１２５の下端部に設けられているクリップ１２７と、が配置される。
【００２２】
収容部１２３は、一端部が開口し有底円筒形状を呈する。この収容部１２３は、その内部に全量噴射型エアゾール装置１００を収容できるように、全量噴射型エアゾール装置１００の外径より若干大きい内形を有している。収容部１２３の外周面は、支持部１２５を介してヘルメット１２１に当接されて固定される。
なお、収容部１２３は、全量噴射型エアゾール装置１００を収容できる構成、形状であればよく、例えば、容器状のものや、側面や底壁などを格子状に形成したものを利用することもできる。
更に、収容部１２３に替えて、例えばゴムバンド、マジックテープ（登録商標）等により全量噴射型エアゾール装置１００の周囲を締め付けて支持部１２５に保持させるような構成とすることができる。
【００２３】
支持部１２５は、収容部１２３の外周面と相補的な形状の凹状の湾曲面である第１の当接面１２５ａと、ヘルメット１２１の外周面と相補的な形状の凹状の湾曲面であり、第１の当接面１２５ａに対して所定角度で傾斜する接線を有する第２の当接面１２５ｂと、を備える。また、図１に示すように、あご紐１３７が装着されている下縁部を下にしてヘルメット１２１を載置すると、支持部１２５の第１の当接面１２５ａがほぼ鉛直方向に延びる構成である。従って、収容部１２３の開口部がほぼ鉛直方向上方に方向づけられることとなり、収容部１２３内に収容される全量噴射型エアゾール装置１００は、その中心軸がほぼ鉛直方向に延在するように配置される。すなわち、全量噴射型エアゾール装置１００の噴射口１０７がほぼ鉛直方向上方を向く。
【００２４】
なお、支持部１２５の第１の当接面１２５ａと第２の当接面１２５ｂとの形成する角度は、適宜変更できることは言うまでもない。すなわち、使用者がヘルメットを被ったときに、収容部１２３内に収容される全量噴射型エアゾール装置１００の長手方向の中心軸線が水平方向に対して上向きとなるようにすることが好ましい。支持部１２５は、その剛性を確保する観点から、樹脂材料や金属材料等から形成することが望ましい。また、収容部１２３と支持部１２５とは、一体成型として作製してもよいし、互いに別体として作製し、ねじ等の固定手段により連結する構成としてもよい。
【００２５】
支持部１２５の下端部には、略Ｕ字状の弾性部材（金属製或いは樹脂製など）からなるクリップ部材１２７が設けられている。当該クリップ部材１２７の略Ｕ字状部分でヘルメット１２１の下縁部を挟み込むことにより、支持部１２５をヘルメット１２１に固定することができるようになっている。クリップ部材１２７は種々のものが利用できるが、使用者が全量噴射型エアゾール装置１００の押しボタン１０５を押し下げる際に、支持部１２５が外れることのない程度の把持力を有することが望ましい。
【００２６】
例えば、噴射の際に、使用者が片方の手の指先で全量噴射型エアゾール装置１００の押しボタン１０５だけを押し下げることが可能な保持力を有することが望ましい。すなわち、押しボタン１０５を押し下げる際に全量噴射型エアゾール装置１００をもう一方の手で支えたり、片手で全量噴射型エアゾール装置１００を持ちながら同時に押しボタン１０５を押し下げるようなことはしなくて良い保持力を有することが、身を守る観点から好ましい。
【００２７】
また、クリップ部材１２７により固定する位置は、ヘルメット１２１の後部に限定されることはなく、側部や前部に装着してもよい。更に、ヘルメット１２１に支持部１２５を固定する手段としては、クリップ部材１２７のみならず、ねじ等を適宜利用できることは言うまでもない。
【００２８】
ここで、図２、３を参照して全量噴射型エアゾール装置１００について説明する。
全量噴射型エアゾール装置１００は、殺虫剤（例えば、有毒刺症昆虫（蜂など）等の不快害虫その他の害虫に対して殺虫効果の高い合成ピレスロイド系成分など）の原液、液化ガス、および圧縮ガスが封入される密閉容器１２２と、密封容器１２２の上端部に装着される円筒状の肩カバー１０８と、密閉容器１２２の長手方向（ほぼ鉛直方向）に延び、密閉容器１２２の内部と外部とを連通する導出管１０１と、導出管１０１を開閉するバルブ組立体１２４と、バルブ組立体１２４が開弁されたときに導出管１０１を介して供給される殺虫剤を外部に噴射する噴射口１０７と、を備えて構成されている。
【００２９】
バルブ組立体１２４は、ばね部材１０６を有し、常時バルブ組立体１０６は導出管１０１を閉鎖する方向に付勢されている。
【００３０】
肩カバー１０８の近傍には、バルブ組立体１２４を開閉するための押しボタン１０５が設けられている。押しボタン１０５を押し下げると、その押圧力がばね部材１０６の付勢力に抗して働き、バルブ組立体１２４が開放される。押しボタン１０５は、図３中左右方向に延び、使用者が指により押圧される押圧部１０５ａと、押圧部１０５ａに対して交差する方向に延びる側壁１０５ｂとを有する。側壁１０５ｂには、突起部１１０が、密閉容器１２２の径方向外方に延びている。
【００３１】
肩カバー１０８には、フランジ状の係止部１０９が設けられており、使用者が押しボタン１０５を押し下げると、押しボタン１０５に設けられている突起部１１０が、肩カバー１０８の係止部１０９に係合する。一旦、押しボタン１０５を押し下げると、突起部１１０が肩カバー１０８の係止部１０９に係合し、両者の係合は解除されない構成である。従って、一端突起部１１０が係止部１０９に係合すると、押し下げられた押しボタン１０５が戻ることがない。
【００３２】
さらに、図２に示されるように、突起部１１０を中心として両側（図２の左右方向）に離隔した押圧力調整穴１１１ａ、１１１ｂが側壁１０５ｂに設けられている。この押圧力調整穴１１１ａ、１１１ｂは、側壁１０５ｂの厚さ方向に貫通する穴である。この押圧力調整穴１１１ａ、１１１ｂにより、側壁１０５ｂの撓み特性を調整し、押しボタン１０５の操作性を向上させている。
【００３３】
押しボタン１０５が押されると、傾斜面１１０ａが係止部１０９に当接し、密閉容器１２２の半径方向内方へと壁面１０５ｂが撓んでいくのであるが、あまりに容易に撓んでしまうと、使用者が意図せずに押しボタン１０５が押され、殺虫剤を誤噴射してしまう。反対に、壁面１０５ｂを撓ませるのに大きな力が必要な構成であると、使用者にとって操作性が悪くなってしまう。
【００３４】
そこで、使用者にとり最適な操作性を付与できるように押圧力調整穴１１１ａ、１１１ｂを設け壁面１０５ｂの撓み特性を調節している。なお、押圧力調整穴１１１ａ、１１１ｂそれぞれについて、対向する一対の辺を曲線状にしたが、この構成に本発明は限定されず、押圧力調整穴の数や形状は、適宜変更できることは言うまでもない。
このような全量噴射型エアゾール装置１００としては、例えば、特開２００１−１７２６１６号公報に記載されているような構造のものを利用することができる。
【００３５】
なお、殺虫剤（薬剤）の容量は、例えば１０ｍｌで、噴射時間１０秒以上を確保できるように、噴射口１０７の径や数、噴射圧力などを含めて全量噴射型エアゾール装置１００は調整されることができる。
また、噴射口１０７から噴射される噴霧の形状については、噴射高（噴霧到達距離）が２ｍ程度、噴射幅が最大で３ｍ程度となるように噴射口１０７の径や数、噴射圧力などが調整されることができる。
【００３６】
上記構成の害虫防除装置１の具体的な使用方法について図４を参照して説明する。
使用者は、ヘルメット１２１を頭に被せ、ヘルメット１２１の両端部に装着されているあご紐１３７をあごに掛けて使用する。
全量噴射型エアゾール装置１００は、前記収容部１２３に、押しボタン１０５の位置がヘルメット１２１と反対側（外側）を向くように挿入保持しておくことが使用時における操作のし易さの観点から好ましい。
【００３７】
そして、使用者が例えば作業等を行っている際に、蜂の存在を認知した場合には、「攻撃レベルｉ」、「攻撃レベルｉｉ」のうちに自ら回避行動を執ることが望ましいが、万が一、「攻撃レベルｉｉｉ」、「攻撃レベルｉｖ」の攻撃を受けた場合には、押しボタン１０５を押し下げ、殺虫剤を射出させる。なお、この時、噴射口１０７は、鉛直方向に対して若干傾斜する方向に方向づけられる。
【００３８】
次に、図４に示すように、ヘルメット１２１の両側部を手のひらで押さえ、顔を下向き加減にして両肘を曲げる姿勢をとる。前腕もしくは両肘により顔面及び眼を覆うような姿勢をとりつつ、蜂と反対方向に逃げる。まだ、攻撃してくるようであれば、更に避難する。
【００３９】
ところで、有毒刺症昆虫（蜂など）の襲撃から身を守るためには、噴射した殺虫剤が使用者に降り掛かるようにすることが望ましい。従って、ヘルメット１２１を被った状態で、支持部１２５の第１の当接面１２５ａと第２の当接面１２５ｂとの間の角度が、鉛直方向で整合させ使用者の真上に噴射させるか、鉛直方向に対して使用者の前方に傾斜させ、使用者より前方に殺虫剤を噴射できる構成とすることが望ましい。
【００４０】
このように、噴射した殺虫剤が使用者に降り掛かるようにすれば、使用者目掛けて攻撃してくる蜂は確実に殺虫剤に触れることになる。数秒でも殺虫剤を蜂に触れさせることができれば１０分程度で死滅させることができ、より一層効果的なものとなる。
【００４１】
このように、本実施形態に係る害虫防除装置１によれば、比較的簡単かつ安価な構成で、かつ小型軽量であるため、装着し易いと共に装着しても使用者の行動を必要以上に制限することがない。
また、容赦の全量噴射型エアゾール装置１００を採用したので、攻撃してくる有毒刺症昆虫（蜂など）目掛けて噴射する従来タイプのエアゾール装置に比べて、身を守る動作を行いながら、攻撃してくる有毒刺症昆虫に殺虫剤を触れさせることができるため、より効果的なものとなる。
【００４２】
また、噴射された殺虫剤を使用者自身の身に降り掛かるように噴射することで、身を守る動作を行いながら、攻撃してくる有毒刺症昆虫に確実に殺虫剤を触れさせることができ、これにより数秒後には有毒刺症昆虫を殺傷することができ、より効果的なものとなる。
更に、本実施の形態によれば、全量噴射型エアゾール装置１００を交換可能な構成とすると共に、ヘルメット１２１にクリップ１２７等を介して容易に着脱可能に取り付けるようにしたので、低コスト化が図れ、利便性を高めることができる。
【００４３】
（実施形態２）
以下に、本発明の実施形態２に係る害虫防除装置１１について説明する。図５は、実施形態２に係る害防除装置１１を示す正面図である。図６は、図５の害虫防除装置１１を使用者の上腕に装着した状態を示す図である。
【００４４】
実施形態１の害虫防除装置１と異なり実施形態２の害虫防除装置１１は、使用者の上腕に装着して使用する態様である。以下に具体的な構成について説明する。なお、全量噴射型エアゾール装置２００は、実施形態１の全量噴射型エアゾール装置１００と同じ構成であるので詳細は割愛する。
【００４５】
装着手段は、冶具２２５と、冶具２２５の面２２５ａ側に装着されている有底円筒状の収容部２２３と、冶具本体２２５の面２２５ｂ側で、冶具本体２２５の長手方向に延在するゴム状のバンド部材２２９と、を備える。なお、治具２２５は、装着する腕の形状に沿った形状を有する、或いは沿うことができるような適度な可撓性を有することが好ましい。
【００４６】
本実施形態２では、収容部２２３は、冶具２２５の長手方向（図５の左右方向）に沿って配置される。また、収容部２２３の内径は、全量噴射型エアゾール装置２００の容器の外径より若干大きく寸法づけされ、全量噴射型エアゾール装置２００を収容可能である。図５では、収容部２２３の開口が左側に位置しているが、右側に位置するように収容部２２３を冶具２２５に装着してもよいことは言うまでもない。
なお、収容部２２３に替えて、例えばゴムバンド、マジックテープ（登録商標）等により全量噴射型エアゾール装置２００の周囲を締め付けて治具２２５に保持させるような構成とすることができる。
【００４７】
上記構成の害虫防除装置１１の具体的な使用方法について説明する。
図６に示すように、使用者は、ゴム状のバンド部材２２９が、上腕の内側に向くように害虫防除装置１１を上腕に装着する。なお、バンド部材２２９の長さは、害虫防除装置１１が使用者の上腕の所定位置でしっかり固定されるような収縮力を生じるように寸法付けされている。或いは長さ調整可能に構成されている。なお、バンド部材２２９は、長さ調整容易なマジックテープ（登録商標）等を用いて形成することができる。
また、冶具２２５に対する全量噴射型エアゾール装置２００の取り付け角度は、適宜に変更可能であり、図６において例えば噴射口が略鉛直方向上方を向くように所定角度（例えば４５度程度）の傾斜をもって全量噴射型エアゾール装置２００を冶具２２５に取り付けたり、取り付け角度調整機能を有する構成とすることができる。
全量噴射型エアゾール装置２００は、前記収容部２２３に、押しボタン２０５の位置が使用者の反対側（外側）を向くように挿入保持しておくことが使用時における操作のし易さの観点から好ましい。
【００４８】
実施形態１で説明したと同様に、有毒刺症昆虫（蜂など）に襲われた際には、まず、押しボタン２０５を押し下げ、殺虫剤を射出させる。なお、この時、噴射口は、鉛直方向に対して若干傾斜する方向に方向づけられる。
次に、両肘を曲げ、両側頭部をそれぞれ手で押さえる姿勢をとる。前腕及び肘により顔面及び眼を覆うような姿勢をとりつつ、蜂と反対方向に逃げる。まだ、攻撃してくるようであれば、更に避難する。
【００４９】
なお、有毒刺症昆虫の襲撃から身を守るためには、噴射した殺虫剤が使用者に降り掛かるようにすることが望ましい。従って、害虫防除装置１１を装着した状態で、収容部２２３の長手方向の中心軸線と冶具２２５の長手方向に関する軸線との角度が、鉛直方向で整合させ使用者の真上に噴射させるか、鉛直方向に対して使用者の前方に傾斜させ、使用者より前方に殺虫剤を噴射できる構成とすることが望ましい。
【００５０】
以上説明したように、本実施形態に係る害虫防除装置１１によれば、実施形態１と同様、比較的簡単かつ安価な構成で、かつ小型軽量であるため、装着し易いと共に装着しても使用者の行動を必要以上に制限することがない。
また、実施形態１と同様、全量噴射型エアゾール装置２００を採用したので、攻撃してくる有毒刺症昆虫（蜂など）目掛けて噴射する従来タイプのエアゾール装置に比べて、身を守る動作を行いながら、攻撃してくる有毒刺症昆虫に殺虫剤を触れさせることができるため、より効果的なものとなる。
【００５１】
また、噴射された殺虫剤を使用者自身の身に降り掛かるように噴射することで、身を守る動作を行いながら、攻撃してくる有毒刺症昆虫に確実に殺虫剤を触れさせることができ、これにより数秒後には有毒刺症昆虫を殺傷することができ、より効果的なものとなる。
【００５２】
更に、本実施の形態によれば、全量噴射型エアゾール装置２００を交換可能な構成とすると共に、使用者の上腕の所定位置にバンド部材２２９等を介して容易に着脱可能に取り付けるようにしたので、低コスト化が図れ、利便性を高めることができる。
【００５３】
上記実施形態においては、使用者の頭もしくは上腕に装着される害虫防除装置としたが、本発明はこれらの構成に限定されることはない。すなわち、噴射した殺虫剤が使用者の身体に降り掛かるような態様であれば、害虫防除装置を装着する部位に制限はない。
【００５４】
また、上記実施形態では、蜂等の有毒刺症昆虫に対する害虫防除装置について説明したが、本発明は、人を襲う惧れのある種々の害虫に対しても適用可能である。
【００５５】
更に、上記各実施形態では、全量噴射型エアゾール装置を用いて説明したが、全量を噴射するものに限定されるものではなく、殺虫剤を噴射する噴射口を所定の開口操作後、例えば所定の期間自動的に開口維持可能なエアゾール装置であれば、本発明において利用可能である。
【００５６】
この発明は、その本質的特性から逸脱することなく数多くの形式のものとして具体化することができる。よって、上述した実施形態は専ら説明上のものであり、本発明を制限するものではないことは言うまでもない。
【図面の簡単な説明】
【００５７】
【図１】実施形態１に係る害虫防除装置の側面図である。
【図２】実施形態１に係る害虫防除装置に装着された全量噴射型エアゾール装置の一部を示す正面図である。
【図３】図２の線ＩＩＩ―ＩＩＩに沿った断面図である。
【図４】図１の害虫防除装置を使用者が装着した状態を示す図である。
【図５】実施形態２に害虫防除装置の側面図である。
【図６】図５の害虫防除装置を使用者が装着した状態を示す図である。
【符号の説明】
【００５８】
１、１１  害虫防除装置
１００、２００  全量噴射型エアゾール装置
１０５、２０５  押しボタン
１０７    噴射口
１０８    肩カバー
１０９    係止部
１１０    突起部
１１１ａ、１１１ｂ  押圧力調整穴
１２１    ヘルメット
１２３、２２３  収容部
１２５    支持部
１２７      クリップ部材
２２５    冶具
２２９    バンド部材
【図１】
2010051269.tif 000003
【図２】
2010051269.tif 000004
【図３】
2010051269.tif 000005
【図４】
2010051269.tif 000006
【図５】
2010051269.tif 000007
【図６】
2010051269.tif 000008